(57)【要約】【目的】映像記録再生装置において磁気テープ上の番組の頭出しに際し、予め記憶されている番組目次情報を表示して見たい番組を選択し、頭出しのためのテープ検索中、テープ内容を高速早見画で画面に表示し検索を容易にする。【構成】目次情報記憶回路２６に記憶されている目次情報をマイコン１６により読み出し画面表示回路１５でビデオ信号に変換した後、テープ検索中の画像情報を画像メモリ１０から読み出しＤ／Ａ変換した後、両者を加算回路１２で加算しディスプレイに同時表示する。頭出しの対象とする見たい番組を操作キー１７から入力し同時表示の状態で頭出しを行う。【選択図】　　　図１
2004072744.tif 000002
【特許請求の範囲】
【請求項１】
磁気テ−プの走行方向に対して斜めの方向において、該磁気テ−プに、回転ヘッドを用いて映像信号を記録、再生するヘリカルスキャン式の映像記録再生装置において、
磁気テープに記録されている番組の目次情報を磁気テープ別に記憶する目次情報記憶手段と、磁気テープに付与されている識別番号を、当該磁気テープが前記映像記録再生装置に装着された状態にあるとき、読み取る識別番号読み取り手段と、読み取った磁気テープの識別番号をキーとして前記目次情報記憶手段から当該磁気テープの目次情報を読み取る目次情報読み取り手段と、
読み取った当該磁気テープの目次情報を画面表示信号に変換して出力する画面文字表示回路と、前記映像記録再生装置に装着された状態にある磁気テープの目次情報に含まれる番組の中から頭出しの対象とする番組を選択して指定する頭出し番組指定手段と、頭出しの対象とする前記番組を求めて磁気テープの高速再生による高速検索中に、高速再生画像を高速サーチ画として表示するための再生画像信号を生成して出力する再生画像生成手段と、
前記画面文字表示回路からの目次情報を表わす画面表示信号と、前記高速サーチ画を表わす再生画像信号と、を加算する加算手段と、加算結果を目次情報と高速サーチ画の同時表示のため画面表示手段に向けて出力する出力回路と、
を具備して成ることを特徴とする映像記録再生装置。
【請求項２】
請求項１に記載の映像記録再生装置において、前記再生画像生成手段は、少なくともフィールドメモリ又はフレームメモリを含み、表示すべき１画面分の画面信号を該メモリに取り込んだ後、１画面分の再生画像信号として出力する手段から成ることを特徴とする映像記録再生装置。
【請求項３】
請求項１に記載の映像記録再生装置において、前記再生画像生成手段は、少なくともラインメモリを含み、表示すべき１画面の中の１ライン分の画面信号を該メモリに取り込んだ後、１ラインの再生画像信号として順次出力する手段から成ることを特徴とする映像記録再生装置。
【請求項４】
請求項１に記載の映像記録再生装置において、前記再生画像生成手段は、１画面分の画像信号を、表示画面の（１／ｎ）倍（但しｎは整数）に縮小して表示することのできる縮小した再生画像信号として、出力する手段から成ることを特徴とする映像記録再生装置。
【請求項５】
請求項１，２，３又は４に記載の映像記録再生装置において、前記目次情報記憶手段に記憶される目次情報は、文字情報と静止画情報の組み合わせから成ることを特徴とする映像記録再生装置。
【請求項６】
記憶媒体に映像信号を記録、再生する映像記録再生装置において、
記憶媒体に記録されている番組の目次情報を記憶媒体別に記憶する目次情報記憶手段と、記憶媒体に付与されている識別番号を、当該記憶媒体が前記映像記録再生装置に装着された状態にあるとき、読み取る識別番号読み取り手段と、読み取った記憶媒体の識別番号をキーとして前記目次情報記憶手段から当該記憶媒体の目次情報を読み取る目次情報読み取り手段と、
読み取った当該記憶媒体の目次情報を画面表示信号に変換して出力する画面文字表示回路と、前記映像記録再生装置に装着された状態にある記憶媒体の目次情報に含まれる番組の中から頭出しの対象とする番組を選択して指定する頭出し番組指定手段と、頭出しの対象とする前記番組を求めて記憶媒体の高速再生による高速検索中に、高速再生画像を高速サーチ画として表示するための再生画像信号を生成して出力する再生画像生成手段と、
前記画面文字表示回路からの目次情報を表わす画面表示信号と、前記高速サーチ画を表わす再生画像信号と、を加算する加算手段と、加算結果を目次情報と高速サーチ画の同時表示のため画面表示手段に向けて出力する出力回路と、
を具備して成ることを特徴とする映像記録再生装置。
【請求項７】
請求項６に記載の映像記録再生装置において、前記再生画像生成手段は、少なくともフィールドメモリ又はフレームメモリを含み、表示すべき１画面分の画面信号を該メモリに取り込んだ後、１画面分の再生画像信号として出力する手段から成ることを特徴とする映像記録再生装置。
【請求項８】
請求項６に記載の映像記録再生装置において、前記再生画像生成手段は、少なくともラインメモリを含み、表示すべき１画面の中の１ライン分の画面信号を該メモリに取り込んだ後、１ラインの再生画像信号として順次出力する手段から成ることを特徴とする映像記録再生装置。
【請求項９】
請求項６に記載の映像記録再生装置において、前記再生画像生成手段は、１画面分の画像信号を、表示画面の（１／ｎ）倍（但しｎは整数）に縮小して表示することのできる縮小した再生画像信号として、出力する手段から成ることを特徴とする映像記録再生装置。
【請求項１０】
請求項６，７，８又は９に記載の映像記録再生装置において、前記目次情報記憶手段に記憶される目次情報は、文字情報と静止画情報の組み合わせから成ることを特徴とする映像記録再生装置。
【発明の詳細な説明】
【０００１】
【産業上の利用分野】
本発明は、映像記録再生装置に係り、更に詳しくは、記録時の速度の何十倍、何百倍といった高速早見再生を行いながら所望の番組の頭出しをすることのできる機能を備えた映像記録再生装置に関する。
【０００２】
【従来の技術】
かかる映像記録再生装置に類する従来技術の一例としては、特開平１−１９００８７号公報に記載のサーチ方式や、特開平１−２２１０７５号公報に記載のサーチ方式などを挙げることができる。
【０００３】
特開平１−１９００８７号公報に記載のサーチ方式では、番組を記録した磁気テープを高速送りにした状態で、例えば該テープのコントロールトラック等に記録されている番組頭出し信号が検出される毎に、画像メモリにその番組の１画面分の映像信号を画面縮小した形で取り込んで記憶すると共に、これを読み出して画面表示していくものである。この画像メモリに取り込まれた縮小画面は、頭出し信号が検出される毎に表示されるので、磁気テープの番組記録内容の概要を知ることができる。
【０００４】
さらに、高速送り状態における現在のテープ位置を分かりやすくするために、巻き戻した際に再度検出する頭出し信号により、巻き戻された番組の、縮小画面を例えば単一信号等の識別信号に置き換えることで、サーチ位置を画面で分かりやすく表示し、目的の番組に高速で頭出しすることを可能にするものである。
【０００５】
また、特開平１−２２１０７５号公報に記載のサーチ方式では、１フィールド分の画像メモリを持ち、この画像メモリの読み書きのクロックを制御することで高速再生画を良好な画像として表示可能にしていた。
【０００６】
【発明が解決しようとする課題】
しかしながら、上記従来技術においては、番組の頭出し信号毎に縮小画面を表示することで磁気テープの記録内容を概略知ることができ、また、巻き戻し時には巻き戻された番組の縮小画面を単一信号等で置き換える等して、現在のテープ位置が分かるようになっているが、番組頭出し信号を検出した際にメモリに記憶する縮小画面だけでは、本当に記録されている番組の内容を必ずしも表しているとは限らず、ユーザーは結局、その番組の頭から、サーチをしながら、その番組が所望の番組であるか否かを検索することとなる。
【０００７】
また、磁気テープ上の番組位置に対しては、一度テープを早送りで、全て巻きとりながら、頭出し信号によって内容を表示しそこからユーザーが所望の番組を選ぶ為、時間がかかるという欠点があった。また、高速サーチ画を得るのに１フィールド分の画像メモリを持つ必要があった。
【０００８】
本発明の目的は、上記従来技術の問題点を克服し、記録時の速度の何十倍、何百倍といった高速早見再生を良好な画像表示のもとで行いながら所望の番組の頭出しを迅速、確実に行うことができ、しかも所要のメモリ容量も少なくて済むような機能を備えた映像記録再生装置を提供することにある。
【０００９】
【課題を解決するための手段】
上記目的達成のため、本発明では、磁気テ−プの走行方向に対して斜めの方向において、該磁気テ−プに、回転ヘッドを用いて映像信号を記録、再生するヘリカルスキャン式の如き映像記録再生装置において、
【００１０】
磁気テープ（記憶媒体）に記録されている番組の目次情報を磁気テープ別に記憶する目次情報記憶手段と、磁気テープに付与されている識別番号を、当該磁気テープが前記映像記録再生装置に装着された状態にあるとき、読み取る識別番号読み取り手段と、読み取った磁気テープの識別番号をキーとして前記目次情報記憶手段から当該磁気テープの目次情報を読み取る目次情報読み取り手段と、
【００１１】
読み取った当該磁気テープの目次情報を画面表示信号に変換して出力する画面文字表示回路と、前記映像記録再生装置に装着された状態にある磁気テープの目次情報に含まれる番組の中から頭出しの対象とする番組を選択して指定する頭出し番組指定手段と、頭出しの対象とする前記番組を求めて磁気テープの高速再生による高速検索中に、高速再生画像を高速サーチ画として表示するための再生画像信号を生成して出力する再生画像生成手段と、
【００１２】
前記画面文字表示回路からの目次情報を表わす画面表示信号と、前記高速サーチ画を表わす再生画像信号と、を加算する加算手段と、加算結果を目次情報と高速サーチ画の同時表示のため画面表示手段に向けて出力する出力回路と、を具備することにした。
【００１３】
【作用】
上記構成の映像記録再生装置において、磁気テ−プ（記憶媒体）に記録してある番組の目次情報を記憶する目次情報記憶手段は、録画された番組の情報を目次情報として記憶する。ここで、目次情報とは、その磁気テープのどの位置にどんな番組が録画されているかの情報を指す。例えば番組等が録画されたさいに、その録画された日付や曜日、番組名、チャンネル番号、等の情報や、そのテープにおいて、その番組がどの位置に録画されているかの情報を指す。
【００１４】
頭出しの対象とする番組を求めて磁気テープ（記憶媒体）の高速再生による高速検索中に、高速再生画像を高速サーチ画として表示するための再生画像信号を生成して出力する再生画像生成手段は、表示画面の（１／ｎ）の縮小画面（但しｎは整数）で再生画像信号を生成するのが実際的であり、通常再生時の数十倍、数百倍の速度で走行するテープから再生される画像信号を１フィールドよりもはるかに少なくて済む縮小画面分画像メモリに取り込んで時間軸変換を行い映像信号を出力するようにすれば、好都合である。
【００１５】
加算手段から出力される加算結果は、目次情報と高速サーチ画の同時表示となって画面表示手段に現れる。このようにして本発明では、記録時の速度の何十倍、何百倍といった高速早見再生を良好な画像表示のもとで行いながら所望の番組の頭出しを迅速、確実に行うことができ、しかも所要のメモリ容量も少なくて済む。
【００１６】
【実施例】
図１は、本発明の一実施例としてのヘリカルスキャン式映像記録再生装置の構成を示すブロック図である。同図において、１は回転磁気ヘッド（左右に１個ずつ、計２個ある）、２は磁気テープ、３は巻き取り及び供給リール、４は回転シリンダ、５はピンチローラ、６はキャプスタン、７は磁気ヘッド切り替えスイッチ、８は信号処理回路、９はアナログ・ディジタル変換器（以下Ａ／Ｄ変換器）、１０は画像メモリ、１１はディジタル・アナログ変換器（以下Ｄ／Ａ変換器）、１２は加算回路、である。
【００１７】
そのほか、１３は同期分離回路、１４はメモリコントローラ、１５は画面文字表示回路、１６はマイクロコンピュータ（以下マイコン）、１７は操作キー、１８は目次情報読み書き回路、１９は頭出し信号検出回路、２６は目次情報記憶回路、２７はテ−プ番号識別回路、である。以下、動作概要を説明する。
【００１８】
図１を参照する。磁気テープ２に接して回転シリンダ４上に取り付けられて回転する磁気ヘッド１（左右２個）は、テープ２から回転シリンダ４の半回転毎に交互に再生信号を拾い出す。これを磁気ヘッド切り替えスイッチ７にて切り替えて取り出すことにより、時間的に連続した再生信号を得る。
【００１９】
ここで、磁気ヘッド切り替えスイッチ７は、磁気テープ２に接する２つの回転ヘッド１のうち、何れの方が接しているかに従って、接している側の再生信号を選択して取り出すため切り替えるものである。この切り替えタイミングは、回転シリンダ４に取り付けられた磁石（図示せず）が作る磁場をセンサ（図示せず）で検出するなどして得るのが一般的である。
【００２０】
このようにして得られた再生信号は信号処理回路８へ送られ、ここで変換処理され、ＲＦ信号あるいはベースバンドの映像信号として出力される。一方、再生信号はテープ番号識別回路２７へも送られる。ここで、テープ２を映像記録再生装置に装着してからのちに、磁気ヘッド切り替えスイッチ７を介して、このようにして供給される再生信号から、テープ２の識別番号を識別回路２７で読み取り、マイクロコンピュータ１６（以下マイコン）にテ−プ識別番号情報として送る。
【００２１】
このマイコン１６においてテ−プ番号を認識した後、目次情報読み書き回路１８に該テ−プの識別番号に応じた目次情報を目次情報記憶回路２６から読みだすように指示する。目次情報記憶回路２６からの目次情報は目次情報読み書き回路１８で読み取り、マイコン１６に該目次情報を送る。目次情報記憶回路２６には、各磁気テープ別に目次情報が予め記憶されているものである。
【００２２】
このマイコン１６において、装着されている磁気テープの目次情報を管理する。ここで、テープの識別番号は、テープ自体に書き込んでも良いし、テープ以外の部分、例えばカセットの側などに磁気テープなどを貼付ておいてこれに書き込むようにしても良い。テープ自体に書き込む場合はテープの頭の部分や、カセットを取り出した部分、または、記録中の番組が録画されている間、常に、コントロールトラックや映像信号のブランキング期間などに書き込むようにしても良い。
【００２３】
また、前述したが、目次情報には、その磁気テープのどの位置にどんな番組が録画されているかの情報が記録されている。例えば番組等が録画されたさいに、その録画された日付や曜日、番組名、チャンネル番号、等の情報や、そのテープにおいて、その番組がどの位置に録画されているかの情報が記録されている。頭出し信号検出回路１９は、テープに番組が記録される毎に、そのテープに記録される頭出し信号を検出する。この頭出し信号検出回路１９で検出した頭出し信号の情報をマイコン１６に送る。
【００２４】
このマイコン１６では、操作キー１７から入力されるユーザによる頭出しの対象とする番組指定の指令に基づき、目次情報と、検出された頭出し信号とから、目的の番組へ磁気テープの内容のサーチをしながらテープを進めたり、巻き戻したり、停止させたりする制御の指令を行う。
【００２５】
また、このマイコン１６では、テープの走行情報（リール台のパルス、キャプスタンモータの回転パルス、コントロール信号のパルス等の走行系の情報）を取込み、これをもとに、現在走行しているテープの速度を演算し、目的のテープ速度になるようにテープを駆動している図示せざるモータを制御してテープ走行制御を行う。
【００２６】
また、マイコン１６は、管理している目次情報、操作キー１７によりユーザから指定された頭出しの対象とする番組、頭出し信号の検出により判明する走行中の磁気テープの現在位置、などの諸情報を、画面文字表示回路１５に対し、画面表示すべき情報として送る。この情報により、画面文字表示回路１５は、画面表示信号を生成し、加算回路１２に供給する。
【００２７】
一方、信号処理回路８で変換処理され、ＲＦ信号あるいはベースバンドの映像信号として出力された信号は、Ａ／Ｄ変換器９に供給されアナログ信号はディジタル信号に変換される。このディジタル信号は、画像メモリ１０に供給される。また、信号処理回路８で生成した信号を同期信号分離回路１３に供給する。この同期信号分離回路１３に供給された信号は、ここで、同期信号を分離されて、この同期信号はメモリコントローラ１４に供給される。
【００２８】
メモリコントローラ１６では、数十倍、数百倍に及ぶ高速再生時にその周期が変化する同期信号の周期に合わせて画像メモリ１０に、映像信号を書き込む書き込みクロックや、読みだしのための読みだしクロックを制御する。このメモリコントローラ１６で制御された書き込みクロックによって、上述したＡ／Ｄ変換されてディジタル信号になった映像信号は、画像メモリ１０に書き込まれ、ついでメモリコントローラ１６で制御された読みだしクロックによって、画像メモリ１０に書き込まれたディジタル信号は読み出される。
【００２９】
ここで、書き込みクロックと、読みだしクロックについて説明する。標準再生においては書き込みと読みだしのクロックは同じ周期のものであるが、早送りの場合は、書き込みのクロックは遅くなり、巻き戻しの場合は書き込みのクロックは早くなる。読みだしのクロックは、標準再生時と常に同じ周期のクロックである。この書き込みのクロックは、マイコン１６においてテープ速度情報により制御される。
【００３０】
画像メモリ１０は、画面を縮小画面で表示する場合には、メモリ容量として１フィールド分持つ必要はなく、画面の、一部分、例えば、一画面の３分の１から、４分の１程度でよい。この画像メモリ１０から読み出されたディジタル信号はＤ／Ａ変換器１１に供給される。このＤ／Ａ変換器１１でアナログ信号に変換された映像信号は、加算回路１２に供給される。
【００３１】
この加算回路１２では、前述した画面文字表示回路１５からの出力である画面表示信号と、Ｄ／Ａ変換器１１からのアナログ信号である映像信号とを足し込む。この足し込まれた信号は、ビデオ信号としてディスプレイ（画像表示手段）に向け出力される。
【００３２】
図２は、図１において加算回路１２から出力されたビデオ信号のテレビジョン受像機（ディスプレイ）における画面表示例を示す説明図である。図２において、図１でマイコン１６が目次情報読み書き回路１８を介して読み取った目次情報が、テープ目次情報の一覧として表示され、画像メモリ１０から読み出された映像信号がサーチ画として、画面の一部分に縮小して映し出されていることが分かるであろう。
【００３３】
また、図２のテープ目次情報として１〜５の番組情報が表示されているが、それらの中で、走行中のテープの現在位置が黒い三角印（２を指す）により表示されている。また番組情報４を四角の枠で囲み表示しているが、これはこの番組がユーザにより指定された頭出し対象の番組であることを表している。
【００３４】
図１において、操作キー１７でユーザが４番目の番組４を頭出しする事を指令することにより、マイコン１６が、図２に示す画面表示を行わせ、かつ指令された目的の番組４に向けてテープを高速走行させる。その際、現在テープが走行中の番組（図２における黒の三角印）の高速サーチ画が、図２に見られるように画面の一部分に映し出される。目次上のテープの現在位置を示す黒の三角印は次の番組の頭出し信号を検出する毎に、次の目次位置に移動する。目的の番組の頭出し信号を検出すると、マイコン１６はテープの早送りを止め、標準再生に移行するか、または、テープを停止させる。
【００３５】
以上説明したように、本実施例によれば、目次情報によって頭出しの対象とする番組が選択でき、しかも、その選択した番組を検索している途中の番組の中身を通常再生時の数倍や数百倍の高速サーチで、充分な画像表示として、画面の一部分に表示することができる。高速サーチ画を見ながら頭出しを行うので、迅速に信頼度高く頭出しを行えるという利点がある。縮小画面であるから画像メモリの容量も少なくてすむ。
【００３６】
なお画像メモリはフィールドメモリであるとして説明したがフレームメモリであれば、１フレーム分の映像信号を蓄えてから読み出して表示できるので、信号処理の上で好都合な場合も多い。
【００３７】
図３は、本発明の他の実施例を示すブロック図である。図１の実施例におけるのと同じ要素には同一の番号を付してある。図１の実施例と異なるのは、画像メモリ１０として、ラインメモリ２０を用いた点である。そのほか図３において、２１はラインメモリコントローラである。
【００３８】
図３を参照して動作の概略を、図１のそれと相違する点を中心に、以下説明する。回転磁気ヘッドから取りだした再生信号はＲＦ信号としてＡ／Ｄ変換器９に供給される。このＡ／Ｄ変換器９でディジタル信号に変換された再生信号はラインメモリ２０に供給される。このラインメモリ２０では、１ライン分の映像信号を、書き込みクロックにより書き込み、読みだしクロックにより読みだす。
【００３９】
この書き込みのクロックと読みだしのクロックの制御は、ラインメモリコントローラ２１で行う。このラインメモリコントローラ２１は、テープ速度に応じて変化する書き込みのクロックを、マイコン１６からの情報により変化させる。ラインメモリコントローラ２１からの読みだしクロックによって読み出された信号は、Ｄ／Ａ変換器１１に供給され、このＤ／Ａ変換器１１においてディジタル信号はアナログ信号に変換される。
【００４０】
この変換されたアナログ信号は、信号処理回路８に供給され、ディスプレイに表示可能な映像信号（ビデオ信号）に変換処理される。この映像信号処理回路８で変換処理された信号は加算回路１２に供給される。この加算回路１２では、信号処理回路８からの信号と、画面文字表示回路１５からの信号とを加算し、ディスプレイに表示すべき映像信号を生成し、テレビジョン受像機（ディスプレイ）に向け供給する。
【００４１】
目次情報読み書き回路１８は、図１の実施例でも述べたように、テープの識別番号を参照して目次情報記憶回路２６から該テープのどの位置にどんな番組が記録されているかの目次情報を読み込みマイコン１６にその情報を供給し、マイコン１６がその情報を基に、操作キー１７からの選択希望番組の指令に応じてテープの走行制御を行う。
【００４２】
また、画面文字表示回路１５は、マイコン１６からテープの目次情報を供給され、画面に目次情報を表示するための画面信号を生成する。この画面信号は画面文字表示回路１５から加算回路１２に供給される。図１の実施例でも説明したように、目次情報読み書き回路１８は、テ−プの識別番号を参照して目次情報記憶回路２６から該テ−プのどの位置にどんな番組が記録しているかの情報を読みとり、マイコン１６にその情報を送る。
【００４３】
さらに、磁気テープに番組の記録をした場合は、そのことの情報を目次情報読み書き回路１８を通して、目次情報記憶回路２６に書き込むこととして、目次情報記憶回路２６の情報の更新を行う。また、頭出し信号検出回路１９は、テープに記録されている番組の頭出し信号を検出する毎に、マイコン１６に検出信号を送る。
【００４４】
図４は、図３において加算回路１２から出力されたビデオ信号のディスプレイにおける画面表示例を示す説明図である。図４に見られるように、目次情報によって作成したテープ目次情報の一覧が映し出されていることが分かる。また、目次情報により、テープのどの部分に現在の走行位置が存在しているかが表示される。図４の場合、２つめの番組２の横に、黒の三角印で表示されている。
【００４５】
例えば、４番目の番組４を頭出ししたい場合、図３における操作キー１７で４番目の番組を頭出しする事を指令することにより、マイコン１６が、目的の番組に向けてテープを高速走行させるわけで、その際、現在テープがいる部分の番組の高速サーチ画を画面の一部分に映し出す。
【００４６】
また、目次上のテープの現在位置を示す黒の三角印は、次の番組の頭出し信号を検出する毎に次の目次位置に移動する。目的の番組の頭出し信号を検出するとテープの早送りを止め、標準再生に移行するか、または、停止させる。本実施例の場合、画像メモリとしてはラインメモリ２０を用いているため、図１の実施例のように画面の一部分に検索中の高速サーチ画を表示することはできないが、図３における操作キー１７の指令により、検索中の高速サーチ画を見たりすることができる。さらに、図５に示すように、検索中の高速サーチ画の一部分（上端部や下端部）に頭出し番組の情報や現在位置の情報などを表示することもできる。
【００４７】
以上説明したように、本実施例によれば、テープを装着した際に表示される目次情報によって番組が選択でき、しかも、その選択した番組を検索している途中の番組の中身を、通常再生時の数倍や数百倍の高速サーチで、画面に１ラインずつ表示することができる。図１の実施例に比較すれば、高速サーチ画は１ラインずつ表示されるので見づらい点はあるが、メモリ容量が少なくて済む分、コストを低廉にできる。
【００４８】
図６は本発明の更に他の実施例を示すブロック図である。図１の実施例におけるのと同じ要素には同一の番号を付してある。図１の実施例と異なるのは、ビデオ信号を記憶する媒体が、磁気テープに限定されたものとせずに、一般的に記憶媒体２３とした点と、タイマー予約装置２２を付加している点である。以下、動作概要を説明する。
【００４９】
図６を参照する。磁気記録または光記録等、映像信号を記憶する記憶媒体２３からビデオ信号が再生されるとＡ／Ｄ変換器９でディジタル信号に変換される。このディジタル信号に変換された信号は、画像メモリ１０に供給される。画像メモリ１０に供給したディジタル信号は、メモリコントローラ１４で制御された書き込みのクロックと読みだしのクロックによって、画像メモリ１０への書き込みと読みだしを行う。
【００５０】
メモリコントローラ１４では、ビデオ信号が再生される速度に応じて変化する書き込みのクロックを、マイコン１６からの情報に応じて制御する。読みだしのクロックは、標準再生時のそれと同じ周期のクロックとなるように制御する。画像メモリ１０から読み出されたディジタル信号は、Ｄ／Ａ変換器１１に供給され、アナログ信号に変換される。Ｄ／Ａ変換器１１でアナログ信号に変換された信号は、加算回路１２に供給される。
【００５１】
一方、記憶媒体１８からは、その記憶媒体１８の識別番号が記録されており、番号識別回路２７で識別番号が読み取られ、マイコン１６によって認識される。マイコン１６は、該識別番号に基づき目次情報読み書き回路１８に、目次情報記憶回路２６の目次情報を読みだすよう指示する。目次情報記憶回路２６には、該認識番号の記憶媒体１８にはどのような番組がどの位置に記憶されているかの目次情報が記録されており、マイコン１６からの指示により目次情報読み書き回路１８で読みとる。
【００５２】
この目次情報読み書き回路１８で読みとった目次情報は、マイコン１６に送る。このマイコン１６において、目次情報を管理し、操作キー１７からの番組検索指令によって頭出しする番組の制御をする。頭出し信号検出回路１９は、記憶媒体２３からの頭出し信号を検出する毎に検出信号をマイコン１６に送る。マイコンで１６では、検出信号に基づいて現在検索している番組を認識する。
【００５３】
また、マイコン１６は目次や、現在検索中の番組等の情報を画面文字表示回路１５に供給する。この情報により、画面文字表示回路１５は、画面に表示するための信号を生成し、加算回路１２に供給する。加算回路１２では、Ｄ／Ａ変換器１１から供給される信号と、画面文字表示回路１５から供給される信号とを加算し、画面に表示すべきビデオ信号を生成する。
【００５４】
タイマ予約操作キー２２は、番組をタイマ予約する際に操作し、マイコン１６に記憶させておく。画像メモリ１０は、タイマ予約された番組を録画する際、その番組の記録を開始した冒頭部分を画像メモリに静止画として取り込む。この取り込んだ画像情報は、頭出し信号と共に目次情報読み書き回路１８を通して目次情報記憶回路２６にに静止画像情報として記憶される。
【００５５】
または、その番組の記録が終了した段階でその番組の記録を開始した部分まで戻し、その画像メモリに取り込んだ静止画を頭出し信号の部分に記録しておく。この静止画像情報は、目次情報が読み込まれた際に再度読み出され、目次情報と共にこの静止画像情報が画面に表示される。
【００５６】
図７は、図６において加算回路１２から出力されたビデオ信号のディスプレイにおける画面表示例を示す説明図である。図７において、目次情報によって作成した番組の目次の一覧が映し出されていることが分かる。このとき、番組を記録したときに記憶した静止画像情報も目次情報の横に縮小画面で表示する。こうすることにより目次情報の内容が直感的に理解可能となり好都合である。
【００５７】
また目次情報により、現在再生されているテープ位置を表示する。図７の場合、１つめの番組１の横に、黒の三角印で表示されている。例えば４番目の番組を頭出ししたい場合、図６における操作キー１７で、４番目の番組を頭出しする事を指令する事により、マイコン１６が目的の番組に頭出しするように記憶媒体２３を制御し、早送りする。
【００５８】
その際、図８のように、目次情報を表示しながら、現在検索しているテープ位置部分の番組のサーチ画を画面の一部分に映し出すようにしてもよい。頭出し信号を検出する毎に次の目次位置に移動し、縮小画面の画面位置も移動して、現在検索中の高速サーチ画を表示する。目的の番組の頭出し信号を検出すると早送りを止め、標準再生に移行し、または、停止する。
【００５９】
以上説明したように、本実施例によれば、番組を記録した記憶媒体２３の番組を検索する際に、どんな番組がいつ記録されたかの情報以外に番組を記録したときに記憶した、例えば最初の静止画などを目次情報とともに表示し、その静止画と併せた目次情報によって番組が選択できるので、番組選択が直感的に容易にでき、しかも、その選択した番組を検索している途中の番組の中身を通常再生の数十倍から数百倍の高速サーチ画で画面の一部分に表示する事ができ、好都合である。
【００６０】
図９は、本発明のなお更に他の実施例を示すブロック図である。図１の実施例におけるのと同じ要素には同一の番号を付してある。図１の実施例と異なるのはビデオ信号を記憶する媒体が、磁気テープに限定されたものでなく、一般的に記憶媒体２３とした点と、信号処理回路を特にディジタル信号処理回路２４とした点である。以下、動作概要を説明する。
【００６１】
図９を参照する。磁気記録または光記録等、映像信号をディジタル信号で記憶する記憶媒体２３からビデオ信号が再生されると、画像メモリ１０に供給される。画像メモリ１０に供給したディジタル信号は、メモリコントローラ１４で制御された書き込みのクロックと読みだしのクロックによって、画像メモリ１０への書き込みと読みだしを行う。
【００６２】
メモリコントローラ１４では、ビデオ信号が再生される速度に応じて変化する書き込みのクロックを、マイコン１６からの情報に応じて制御する。読みだしのクロックは、標準再生時のそれと同じ周期のクロックとなるように制御する。画像メモリ１０から読み出されたディジタル信号は、ディジタル信号処理回路２４に供給され、このディジタル信号処理回路２４で信号処理された信号は、加算回路１２に供給される。
【００６３】
一方、記憶媒体２３からは、その記憶媒体２３の識別番号が記録されており、番号識別回路２７で番号が読み取られ、マイコン１６によって認識される。マイコン１６は、該識別番号に基づき目次情報読み書き回路１８に目次情報記憶回路２６の目次情報を読みだすよう指示する。目次情報記憶回路２６には、該認識番号の記憶媒体２３にはどのような番組がどの位置に記憶されているかの目次情報が記録されており、マイコン１６からの指示により目次情報読み書き回路１８で読みとる。
【００６４】
この目次情報読み書き回路１８で読みとった目次情報は、マイコン１６に送る。このマイコン１６において目次情報を管理し、操作キー１７からの番組検索指令によって頭出しする番組の制御をする。頭出し信号検出回路１９は、記憶媒体２３からの頭出し信号を検出する毎に検出信号をマイコン１６に送る。マイコン１６では、検出信号に基づいて現在検索している番組を認識する。
【００６５】
また、マイコン１６は目次情報や、現在検索中の番組等の情報を画面文字表示回路１５に供給する。この情報により、画面文字表示回路１５は画面に表示するための信号を生成し、加算回路１２に供給する。加算回路１２では、ディジタル信号処理回路２４で信号処理された信号と、画面文字表示回路１５から供給される信号とを加算し、画面に表示すべきビデオ信号を生成する。
【００６６】
ビデオ信号のディスプレイにおける画面表示例は、先に説明した図７，図８のそれと同じであるので説明は繰り返さない。なお、ディジタル信号処理回路２４では、通常再生時の数百倍の高速サーチ時においては縮小画面上のサーチ画の色付きも悪くなるため、目次情報を表示するための画面文字表示回路１５で目次情報に色をつけ、その目次情報に合わせてサーチ画にも色をつける処理を行うようにすることにより、現在検索中の番組がどの番組であるかを、明確にすることができる。
【００６７】
以上説明したように本実施例によれば、ディジタル信号で番組を記録した記憶媒体２３の中身を検索する際に、どんな番組がいつ記録されたかの情報以外に番組を記録したときに記憶した静止画をも、目次情報の一部として表示し、その静止画をも併せた目次情報によって番組が選択できるので直感的な番組選択が可能となり、しかも、その選択した番組に達するまでの番組の中身を通常再生の数十倍から数百倍の高速サーチ画で画面の一部分に表示する事ができるので好都合である。
【００６８】
【発明の効果】
以上説明したように、本発明によれば、映像信号記録再生装置において、番組の頭出し操作において、以下のような効果を期待することができる。
（イ）所望の番組の検索中に、その内容が高速早見画で見れ、所望の番組であることの確認が直感的に容易となり好都合である。
（ロ）少ないメモリ容量で実現できる。
（ハ）所望の番組の頭出しが素早くできる。
【図面の簡単な説明】
【図１】本発明の一実施例としてのヘリカルスキャン式映像記録再生装置の構成を示すブロック図である。
【図２】図１において加算回路１２から出力されたビデオ信号のディスプレイにおける画面表示例を示す説明図である。
【図３】本発明の他の実施例を示すブロック図である。
【図４】図３において加算回路１２から出力されたビデオ信号のディスプレイにおける画面表示例を示す説明図である。
【図５】図３において加算回路１２から出力されたビデオ信号のディスプレイにおける別の画面表示例を示す説明図である。
【図６】本発明の更に他の実施例を示すブロック図である。
【図７】図６において加算回路１２から出力されたビデオ信号のディスプレイにおける画面表示例を示す説明図である。
【図８】図６において加算回路１２から出力されたビデオ信号のディスプレイにおける別の画面表示例を示す説明図である。
【図９】本発明のなお更に他の実施例を示すブロック図である。
【符号の説明】
１…回転磁気ヘッド、２…磁気テープ、３…リール、４…回転シリンダ、５…ピンチローラ、６…キャプスタン、７…切り替えスイッチ、８…信号処理回路、９…アナログ／ディジタル変換器、１０…画像メモリ、１１…ディジタ／アナログ変換器、１２…加算回路、１３…同期分離回路、１４…メモリコントローラ、１５…画面文字表示回路、１６…マイクロコンピュータ、１７…操作キー、１８…目次（インデックス）情報読み書き回路、１９…頭出し信号検出回路、２０…ラインメモリ、２１…ラインメモリコントローラ、２２…タイマ予約装置、２３…記憶媒体、２４…ディジタル信号処理回路、２５…テレビジョン受像機（ディスプレイ）、２６…目次情報記憶回路、２７…テ−プ番号識別回路
【図１】
2004072744.tif 000003
【図２】
2004072744.tif 000004
【図３】
2004072744.tif 000005
【図４】
2004072744.tif 000006
【図５】
2004072744.tif 000007
【図６】
2004072744.tif 000008
【図７】
2004072744.tif 000009
【図８】
2004072744.tif 000010
【図９】
2004072744.tif 000011
【手続補正書】
【提出日】平成15年8月11日(2003.8.11)
【手続補正１】
【補正対象書類名】明細書
【補正対象項目名】特許請求の範囲
【補正方法】変更
【補正の内容】
【特許請求の範囲】
【請求項１】
記録媒体に記憶された映像信号を再生する映像再生装置において、
記録媒体に記憶された映像信号と該映像信号を記憶した日付に関する情報とを読み出す手段と、
前記映像信号から生成された目次画像情報と前記日付を含む目次文字情報とを表示装置に出力する手段と、
を備えていることを特徴とする映像再生装置。
【請求項２】
記録媒体に記憶された映像信号を再生する映像再生装置において、
記録媒体に記憶された映像信号と該映像信号を記憶した日付に関する情報とを読み出す手段と、
前記映像信号から生成された目次画像情報とともに前記日付を含む目次文字情報を表示装置に出力する手段と、
前記目次画像情報とともに前記目次文字情報を同一の画面に表示するよう前記表示装置を制御する制御手段と、
を備えていることを特徴とする映像再生装置。
【請求項３】
請求項１記載の映像再生装置において、
前記表示装置は、目次画像情報から生成される画像と前記目次文字情報に含まれる日付とを並列して表示することを特徴とする映像再生装置。
【請求項４】
請求項１から３の何れか記載の映像再生装置において、前記目次画像情報を前記映像信号から生成し、前記目次文字情報を前記映像信号が生成された日付に基いて生成する手段と、
を備えていることを特徴とする映像再生装置。
【請求項５】
請求項１から４の何れか記載の映像再生装置において、
前記表示装置に出力された目次画像情報または前記目次文字情報から再生する映像を選択する手段と、
前記選択する手段により選択された映像の再生信号を表示装置に出力する手段と、
を備えていることを特徴とする映像再生装置。
【請求項６】
請求項１から５の何れか記載の映像再生装置において、
前記目次画像情報は、前記映像信号から生成された縮小画像の情報であることを特徴とする映像再生装置。
【請求項７】
請求項１から６の何れか記載の映像再生装置において、
前記目次画像情報は、記憶を開始した冒頭部分の映像信号から生成した静止画像情報であることを特徴とする映像再生装置。
【請求項８】
記録媒体に記憶された映像信号を再生する映像再生方法において、
記録媒体に記憶された映像信号と該映像信号を記憶した日付に関する情報とを読み出し、
前記映像信号から生成された目次画像情報と前記日付を含む目次文字情報とを表示装置に出力することを特徴とする映像再生方法。
【請求項９】
記録媒体に記憶された映像信号を再生する映像再生方法において、
記録媒体に記憶された映像信号と該映像信号を記憶した日付に関する情報とを読み出し、
前記映像信号から生成された目次画像情報とともに前記日付を含む目次文字情報を表示装置に出力し、
前記目次画像情報とともに前記目次文字情報を同一の画面に表示するよう前記表示装置を制御することを特徴とする映像再生方法。
【請求項１０】
請求項８記載の映像再生方法において、
前記目次画像情報から生成される画像と前記目次文字情報に含まれる日付とを並列して表示することを特徴とする映像再生方法。
【請求項１１】
請求項８から１０の何れか記載の映像再生方法において、
前記目次画像情報を前記映像信号から生成する工程と、
前記目次文字情報を前記映像信号が生成された日付に基いて生成する工程と、
を有することを特徴とする映像再生方法。
【請求項１２】
請求項８から１１の何れか記載の映像再生方法において、
前記表示装置に出力された目次画像情報または前記目次文字情報から再生を希望する映像を選択し、
前記選択された映像の再生信号を出力することを特徴とする映像再生方法。
【請求項１３】
請求項８から１２の何れか記載の映像再生方法において、
前記目次画像情報は、前記映像信号から生成された縮小画像の情報であることを特徴とする映像再生方法。
【請求項１４】
請求項８から１３の何れか記載の映像再生方法において、
前記目次画像情報は、記憶を開始した冒頭部分の映像信号から生成した静止画像情報であることを特徴とする映像再生方法。
【手続補正２】
【補正対象書類名】明細書
【補正対象項目名】０００１
【補正方法】変更
【補正の内容】
【０００１】
【産業上の利用分野】
本発明は、映像再生装置に関する。


【手続補正３】
【補正対象書類名】明細書
【補正対象項目名】０００８
【補正方法】変更
【補正の内容】
【０００８】
本発明の目的は、所望の映像の頭出しを迅速、確実に行うことができる機能を備えた映像再生装置及び映像再生方法を提供することにある。また、目次情報の内容を直感的に理解可能とし、再生を希望する映像を迅速、確実に把握する映像再生装置及び映像再生方法を提供することにある。
【手続補正４】
【補正対象書類名】明細書
【補正対象項目名】０００９
【補正方法】変更
【補正の内容】
【０００９】
【課題を解決するための手段】
上記目的達成のため、本発明では、記録媒体に記憶された映像信号を再生する映像再生装置において、記録媒体に記憶された映像信号と該映像信号を記憶した日付に関する情報とを読み出す手段と、前記映像信号から生成された目次画像情報と前記日付を含む目次文字情報とを表示装置に出力する手段と、を備えている。
【手続補正５】
【補正対象書類名】明細書
【補正対象項目名】００１０
【補正方法】変更
【補正の内容】
【００１０】
また、上記目的達成のため、本発明では、記録媒体に記憶された映像信号を再生する映像再生装置において、記録媒体に記憶された映像信号と該映像信号を記憶した日付に関する情報とを読み出す手段と、前記映像信号から生成された目次画像情報とともに前記日付を含む目次文字情報を表示装置に出力する手段と、前記目次画像情報とともに前記目次文字情報を同一の画面に表示するよう前記表示装置を制御する制御手段と、を備えている。
【手続補正６】
【補正対象書類名】明細書
【補正対象項目名】００１１
【補正方法】変更
【補正の内容】
【００１１】
また、上記目的達成のため、本発明では、記録媒体に記憶された映像信号を再生する映像再生方法において、記録媒体に記憶された映像信号と該映像信号を記憶した日付に関する情報とを読み出し、前記映像信号から生成された目次画像情報と前記日付を含む目次文字情報とを表示装置に出力する。
【手続補正７】
【補正対象書類名】明細書
【補正対象項目名】００１２
【補正方法】変更
【補正の内容】
【００１２】
また、上記目的達成のため、本発明では、記録媒体に記憶された映像信号を再生する映像再生方法において、記録媒体に記憶された映像信号と該映像信号を記憶した日付に関する情報とを読み出し、前記映像信号から生成された目次画像情報とともに前記日付を含む目次文字情報を表示装置に出力し、前記目次画像情報とともに前記目次文字情報を同一の画面に表示するよう前記表示装置を制御する。
【手続補正８】
【補正対象書類名】明細書
【補正対象項目名】００１３
【補正方法】変更
【補正の内容】
【００１３】
【作用】
上記構成により、本願発明は、映像再生装置において、目次情報の内容を直感的に理解可能とし、再生する映像を迅速、確実に選択することができる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００６７
【補正方法】変更
【補正の内容】
【００６７】
以上説明したように本実施例によれば、ディジタル信号で番組を記録した記憶媒体２３の中身を検索する際に、どんな番組がいつ記録されたかの情報以外に番組を記録したときに記憶した静止画をも、目次情報の一部として表示し、その静止画をも併せた目次情報によって番組が選択できるので直感的な番組選択が可能となり、しかも、その選択した番組に達するまでの番組の中身を通常再生の数十倍から数百倍の高速サーチ画で画面の一部分に表示する事ができるので好都合である。また、以上説明したように、本発明によれば、映像信号記録再生装置において、番組の頭出し操作において、以下のような効果を期待することができる。（イ）所望の番組の検索中に、その内容が高速早見画で見れ、所望の番組であることの確認が直感的に容易となり好都合である。
（ロ）少ないメモリ容量で実現できる。
（ハ）所望の番組の頭出しが素早くできる。
【手続補正１２】
【補正対象書類名】明細書
【補正対象項目名】００６８
【補正方法】変更
【補正の内容】
【００６８】
【発明の効果】
以上説明したように、本発明によれば、映像信号再生装置において、再生する映像を迅速、確実に選択することができるという効果を奏する。